(57)【要約】【課題】  USBなどのプラグアンドプレイ機能を実現するには、いつでもデータ要求が来た場合に対応できるようUSBの制御を行っている回路の電源を遮断せず、待機する方法が取られていたため、制御回路の電源を断つような電力制御を行うことが出来なかった。【解決手段】  USBに準拠した通信制御バスに接続可能な画像処理装置において、USBの制御回路の電源を遮断しつつ、ケーブルが接続されたことを認識した場合には、USBの制御回路の電源を投入し回路を活性化し、データ転送を行うことが可能な省エネルギー機能を有する画像形成装置を提供する。【選択図】  図１６
2006043947.tif 000002
【特許請求の範囲】
【請求項１】
USBに準拠した通信制御バスに接続可能な画像処理装置において、本画像処理装置とホストコンピュータとをＵＳＢを介して接続する手段と、ＵＳＢコネクタが接続されたかを監視する手段と、ＵＳＢコネクタが接続されるとＵＳＢ制御部へ電源を供給する手段と、を備えることを特徴とする画像形成装置。
【請求項２】
ＵＳＢのVBus信号を監視することにより、ＵＳＢコネクタが接続されたかを判断することを特徴とする請求項１に記載の画像形成装置。
【請求項３】
ホストコンピュータからのデータを解析し、印刷ジョブであった場合には予めプリンタ部へ電源を供給することを特徴とする請求項３に記載の画像形成装置。
【発明の詳細な説明】
【技術分野】
【０００１】
本発明は、プリンタ装置、ファクシミリ装置、デジタル複合機、スキャナ装置やこれらの機能の複数を備えた複合機等の画像形成装置であり、特にUSBに準拠した通信制御バスに接続され、待機状態において消費電力を節減することが可能な省エネルギー機能を有する画像形成装置および画像形成装置の電力制御方法に関するものである。
【背景技術】
【０００２】
シリアルインターフェースとしては近年USB（ユニバーサルシリアルバス）やIEEE1394などの高速シリアルバスが登場し、複写機等の画像形成装置にも外部インターフェースとして採用されている。このUSBは高速データ転送とプラグアンドプレイと呼ばれる機能を有している。この機能により、全ての機器の電源をOFFにすることなく、接続するだけで自動に機器接続を認識することが出来る。
【０００３】
また、この種の画像形成装置において、普及台数に応じて稼動する装置の消費電力も増加してきており軽視できない状況となっている。節電に関する技術としては、ユーザーによる操作がない状態で設定した時間が経過すると、画像形成装置の一部または全部の電源を遮断することで節電を行うものがある（例えば、特許文献１及び２）。
【特許文献１】実開昭６１−６０３１３号公報
【特許文献２】実開昭６２−２３３２号公報
【発明の開示】
【発明が解決しようとする課題】
【０００４】
しかし、このような省エネルギー機能を有する画像形成装置では、USBなどのプラグアンドプレイ機能を実現している回路の電源を遮断してしまうと、そのデバイスに対してデータ転送の要求がきた場合にも、そのデバイス自体を活性化することが出来ないという点に問題があった。そのため、USBなどのプラグアンドプレイ機能を実現するには、いつでもデータ要求が来た場合に対応できるようUSBの制御を行っている回路の電源を遮断せず、待機する方法が取られていた。このため、制御回路の電源を断つような電力制御を行うことができなかった。
【課題を解決するための手段】
【０００５】
そこで本発明は、上述の問題を解決するためのものであり、USBに準拠した通信制御バスに接続可能な画像処理装置において、USBの制御回路の電源を遮断しつつ、ケーブルが接続されたことを認識した場合には、USBの制御回路の電源を投入し回路を活性化し、データ転送を行うことが可能な省エネルギー機能を有する画像形成装置を提供することにより課題を解決する。
【０００６】
また、上述の問題点を解決するために、本画像処理装置とホストコンピュータとをＵＳＢを介して接続する手段と、ＵＳＢコネクタが接続されたかを監視する手段と、ＵＳＢコネクタが接続されるとＵＳＢ制御部へ電源を供給する手段と、を備えることを特徴とする画像形成装置を提供する。
【発明の効果】
【０００７】
ホストコンピュータからのデータを解析し、印刷ジョブであった場合には予めプリンタ部へ電源を供給することにより、省電力を実現しつつ、省電力モードからの復帰時間を短縮することが可能な画像処理装置を提供することできる。
【発明を実施するための最良の形態】
【０００８】
（実施例１）
（１）図１に本発明の実施の形態のシステムの概観図を示す。本実施例では画像処理装置をMFP（マルチファンクション周辺機器）として説明を行うが、レーザービームプリンタ等の画像処理装置であってもよい。
【０００９】
ネットワーク101に接続されたコンピュータ102はサーバ、コンピュータ103aと103bはクライアントである。図示されていないがクライアントはこれらのほかにも多数接続されている。以下クライアントを代表して103と表記する。
【００１０】
更にネットワーク101にはMFP(Multi Function peripheral：マルチファンクション周辺機器) 104a、104b,104c,104dが接続されている。104a、104b,104c,104dはフルカラーでスキャン、プリントなどが可能なカラー４ドラムMFPである。
【００１１】
105はネットワークに接続された１ドラムカラーレーザビームプリンタLBPである。
【００１２】
また、図示していないがネットワーク101上にはMFPを初め、スキャナ、プリンタあるいは、FAXなどのその他の機器も接続されている。
【００１３】
ここでコンピュータ103上では、いわゆるDTP(Desk Top Publishing：デスクトップパブリッシング)を実行するアプリケーションソフトウェアを動作させ、各種文書／図形が作成／編集される。コンピュータ103は作成された文書／図形をPDL(Page Description Language：ページ記述言語)に変換し、ネットワーク101を介してMFP104、LBP105に送られてプリントアウトされる。
【００１４】
MFP104、LBP105はそれぞれ、コンピュータ102、103とネットワーク101を介して情報交換できる通信手段を有しており、MFP104、LBP105の情報や状態をコンピュータ102、103側に逐次知らせる仕組みとなっている。更に、コンピュータ102、103は、その情報を受けて動作するユーティリティソフトウェアを持っており、MFP104、LBP105はコンピュータ102、103により管理される。
【００１５】
［MFP104の構成］
次に、図2を用いてMFP104の構成について説明する。
【００１６】
MFP104は、画像読み取りを行うスキャナ部201とその画像データを画像処理するIP部202、ファクシミリなどに代表される電話回線を利用した画像の送受信を行うFAX部203、更に、ネットワークを利用して画像データや装置情報をやり取りするNIC(Network Interface Card)部分204、コンピュータ103から送られてきたページ記述言語（PDL）を画像信号に展開するPDL部205を有する。そして、MFP104の使い方に応じてコア部206で画像信号を一時保存したり、経路を決定する。
【００１７】
次に、コア部206から出力された画像データは、画像形成を行うプリンタ部208に送られる。プリンタ部208でプリントアウトされたシートはフィニッシャ部209へ送り込まれ、シートの仕分け処理やシートの仕上げ処理が行われる。
【００１８】
また、ディスプレイ部210は、画像をプリントせずに画像の内容を確認したり、プリントする前に画像の様子を確認する（プレビュー）ために用いられる。
【００１９】
［スキャナ部201の構成］
図3を用いてスキャナ部201の構成を説明する。301は原稿台ガラスであり、読み取られるべき原稿302が置かれる。原稿302は照明ランプ303により照射され、その反射光はミラー304、305、306を経て、レンズ307によりCCD308上に結像される。ミラー304、照明ランプ303を含む第１ミラーユニット310はミラー304は速度vで移動し、ミラー305、306を含む第２ミラーユニット311は速度1/2vで移動することにより、原稿302の全面を走査する。第１ミラーユニット310及び第２ミラーユニット311はモータ309により駆動される。
【００２０】
［画像処理部202の構成］
図4を用いてIP部（画像処理部）202について説明する。入力された光学的信号は、CCDセンサ308により電気信号に変換される。このCCDセンサ308はRGB3ラインのカラーセンサであり、RGBそれぞれの画像信号としてA/Dコンバータ401で、各色信号毎に8bitのデジタル画像信号RO,GO,BOに変換される。その後、402のシェーディング補正で色ごとに、基準白色版の読み取り信号を用いた、シェーディング補正が施される。更に、CCDセンサ308の各色ラインセンサは、相互に所定の距離を隔てて配置されているためラインディレイ調整回路（ライン補間部）403において、副走査方向の空間的ずれが補正される。
【００２１】
次に、入力マスキング部404はCCDセンサ308のR,G,Bフィルタの分光特性で決まる読取色空間を、NTSCの標準色空間に変換する部分であり、CCDセンサ308の感度特性／照明ランプのスペクトル特性等の諸特性を考慮した装置固有の定数を用いた3×3のマトリックス演算を行い、入力された（RO,GO,BO）信号を標準的な（R,G,B）信号に変換する。
【００２２】
更に、輝度／濃度変換部（LOG変換部）405はルックアップテーブル（LUT）RAMにより、構成され、RGBの輝度信号がC1,M1,Y1の濃度信号になるように変換される。
【００２３】
406は出力マスキング／UCR回路図であり、C1,M1,Y1信号を画像処理装置のトナー色であるC,M,Y,K信号に補正して出力する。
【００２４】
次に、ガンマ補正部407にて、トナーの色味諸特性を考慮したルックアップテーブル（LUT）RAMを使って画像出力のためのC,M,Y,Kデータに変換され、空間フィルタ408にて、エッジ強調または、スムージングが施された後、画像信号はコア部206へと送られる。
【００２５】
［NIC部204の構成］
図５を用いてNIC部204について説明する。ネットワーク101に対してのインターフェイスの機能を持つのが、このNIC部204であり、例えば10Basa-T/100Base-TXなどのEthernet（登録商標）ケーブルなどを利用して外部からの情報を入手したり、外部へ情報を流す役割を果たす。
【００２６】
外部より情報を入手する場合は、まず、トランス部601で電圧変換され、602のLANコントローラ部に送られる。LANコントローラ部602は、その内部に第１バッファメモリ（不図示）を持っており、その情報が必要な情報か否かを判断した上で、第２バッファメモリ（不図示）に送った後、PDL部205に信号を流す。
【００２７】
次に、外部に情報を提供する場合には、PDL部205より送られてきたデータは、LANコントローラ部602で必要な情報を付加して、トランス部601を経由してネットワーク101に接続される。
【００２８】
［PDL部205の構成］
次に、図５を用いてPDL部205の構成の説明する。コンピュータ103上で動作するアプリケーションソフトウェアによって作成された画像データは、文書、図形、写真等から構成されており、それぞれは、文字コード、図形コード及び、ラスタ画像データなどによる画像記述の要素の組み合わせから成っている。これが、いわゆるPDL（Page Description Language：ページ記述言語）であり、Adobe社のPostScript（登録商品）言語に代表されるものである。
【００２９】
PDL部205では、上記PDLデータからラスタ画像データへの変換処理を行う。まずNIC部204から送られてきたPDLデータは、CPU部603を経由して一度ハードディスク(HDD)のような大容量メモリ604に格納され、ここで各ジョブ毎に管理、保存される。次に、必要に応じて、CPU部603は、RIP（Raster Image Processing）と呼ばれるラスタ化画像処理を行って、PDLデータをラスタイメージに展開する。展開されたラスタイメージデータは、CMYKの色成分毎DRAMなどの高速アクセス可能なメモリ605にジョブ毎にページ単位で格納され、プリンタ部208の状況に合わせて、再びCPU部603を介して、コア部206へ送られる。
【００３０】
リーダ部で読み取られＣＭＹＫデータに変換された画像信号を、プリンタ部へすぐに送ることができない場合、ここのメモリ604に一旦記憶されるよう、コア部206で制御される。
【００３１】
［コア部206の構成］
図６を用いてコア部206について説明する。コア部206のバスセレクタ部701は、MFP104、105の利用における、いわば交通整理の役割を担っている。すなわち、複写機能、ネットワークスキャン、ネットワークプリンタ、ファクシミリ送信／受信、あるいは、ディスプレイ表示などMFP104、105における各種機能に応じてバスの切り替えを行うところである。
【００３２】
以下に各機能を実行するためのバスの切り替えのパターンを示す。
【００３３】
・複写機能：スキャナ201→コア206→プリンタ208
・ネットワークスキャン：スキャナ201→コア206→ＮＩＣ部204
・ネットワークプリンタ：ＮＩＣ部204→コア206→プリンタ208
・ファクシミリ送信機能：スキャナ201→コア206→FAX部203
・ファクシミリ受信機能：FAX部203→コア206→プリンタ208
・ディスプレイ表示機能：スキャナ201又はFAX部203又はNIC部204→コア206→ディスプレイ210
次に、バスセレクタ部701を出た画像データは、圧縮部702、ハードディスク(HDD)などの大容量メモリからなるメモリ部703及び、伸張部704を介してプリンタ部208(PWM部207)又はディスプレイ部210へ送られる。圧縮部702で用いられる圧縮方式は、JPEG、JBIG,ZIPなど一般的なものを用いればよい。圧縮された画像データは、ジョブ毎に管理され、ファイル名、作成者、作成日時、ファイルサイズなどの付加データと一緒に格納される。
【００３４】
更に、ジョブの番号とパスワードを設けて、それらも一緒に格納すれば、パーソナルボックス機能をサポートすることができる。これは、データの一時保存や特定の人にしかプリントアウト（HDDからの読み出し）ができない様にするたの機能である。記憶されているジョブのプリントアウトの指示が行われた場合には、パスワードによる認証を行った後にメモリ部703より呼び出し、画像伸張を行ってラスタイメージに戻してプリンタ部207に送ることもできる。
【００３５】
［PWM部207の構成］
図７によりPWM部207の説明をする。コア部206を出たイエロー（Y）、マゼンダ（M）、シアン（C）、ブラック（K）の４色に色分解された多値画像データは、それぞれのPWM部207を通ってそれぞれ画像形成される。801は三角波発生部、802は入力されるデジタル画像信号をアナログ信号に変換するD／Aコンバータ（D／A変換部）である。三角波発生部801からの信号（図７(2)のa ）及びD／Aコンバータ802からの信号（図８(2)のb ）は、コンパレータ803で大小比較されて、図８(2)のcのような信号となってレーザ駆動部804に送られ、CMYKそれぞれが、CMYKそれぞれのレーザ発振器805でレーザビームに変換される。
【００３６】
そして、ポリゴンスキャナ913で、それぞれのレーザビームを走査して、それぞれの感光ドラム917、921、925、929に照射される。
【００３７】
［MFP104のプリンタ部208の構成］
図８に、４ドラムタイプカラープリンタ部の概要図を示す。913は、ポリゴンミラーであり、４つの半導体レーザ発振器805より発光された４本のレーザ光を受ける。その内の１本はミラー914、915、916をへて感光ドラム917を走査し、次の１本はミラー918、919、920をへて感光ドラム921を走査し、次の1本は922、923、924をへて感光ドラム925を走査し、次の１本はミラー926、927、928をへて感光ドラム929を走査する。
【００３８】
一方、930はイエロー（Y）のトナーを供給する現像器であり、レーザ光に従い、感光ドラム917上にイエローのトナー像を形成し、931はマゼンタ（M）のトナーを供給する現像器であり、レーザ光に従い、感光ドラム921上にマゼンタのトナー像を形成し、932はシアン（C）のトナーを供給する現像器であり、レーザ光に従い、感光ドラム925上にシアンのトナー像を形成し、933はブラック（K）のトナーを供給する現像器であり、レーザ光に従い、感光ドラム929上にブラックのトナー像を形成する。以上４色（Y,M,C,K）のトナー像がシートに転写され、フルカラーの出力画像を得ることができる。
【００３９】
シートカセット934、935および、手差しトレイ936のいずれかより供給されたシートは、レジストローラ937をへて、転写ベルト938上に吸着され、搬送される。給紙のタイミングと同期がとられて、予め感光ドラム917、921、925、929には各色のトナーが現像されており、シートの搬送とともに、トナーがシートに転写される。各色のトナーが転写されたシートは、分離され、搬送ベルト939により搬送され、定着器940によって、トナーがシートに定着される。定着器940を抜けたシートはフラッパ950によりいったん下方向へ導かれてシートの後端がフラッパ950を抜けた後、スイッチバックさせて排出する。これによりフェイスダウン状態で排出され、先頭頁から順にプリントしたときに正しい順となる。
【００４０】
なお、４つの感光ドラム917、921、925、929は、距離dをおいて、等間隔に配置されており、搬送ベルト939により、シートは一定速度vで搬送されており、このタイミング同期がなされて、４つの半導体レーザ805は駆動される。
【００４１】
［ディスプレイ部210の構成］
図10に、ディスプレイ部210を示す。コア部206より出力された画像信号は、CMYKデータであるため、逆LOG変換部1001でRGBデータに変換する必要がある。次に、出力されるCRTなどのディスプレイ装置1004の色の特性に合わせるためにガンマ変換部1002でルックアップテーブルを使用して出力変換を行う。変換された画像データは、一度メモリ部1003に格納されて、CRTなどのディスプレイ装置1004によって表示させる。
【００４２】
ここで、ディスプレイ部210を使用するのは、出力画像を予め確認するプレビュー機能や出力する画像が意図したものと間違いないか検証するプルーフ機能、あるいは、プリントの必要がないかを確認するな場合にプリントシートの無駄を省く為である。
【００４３】
［フィニッシャ部209の構成］
図11に、フィニッシャ部の概観図を示す。プリンタ部208の定着部940（または、979）を出たシートは、フィニッシャ部209に入る。フィニッシャ部209には、サンプルトレイ1101とスタックトレイ1102があり、ジョブの種類や排出されるシートの枚数に応じて切り替えて排出される。
【００４４】
ソート方式には２通りあり、複数のビンを有して各ビンに振り分けるビンソート方式と、後述の電子ソート機能とビン（または、トレイ）を奥／手前方向にシフトしてジョブ毎に出力シートを振り分けるシフトソート方式によりソーティングを行うことができる。電子ソート機能は、コレートと呼ばれ、前述のコア部で説明した大容量メモリを持っていれば、このバッファメモリを利用して、バッファリングしたページ順と排出順を変更する、いわゆるコレート機能を用いることで電子ソーティングの機能もサポートできる。次にグループ機能は、ソーティングがジョブ毎に振り分けるのに対し、ページ毎に仕分けする機能である。
【００４５】
更に、スタックトレイ1102に排出する場合には、シートが排出される前のシートをジョブ毎に蓄えておき、排出する直前にステープラ1105にてバインドすることも可能である。このほか、上記２つのトレイに至るまでに、紙をＺ字状に折るためのＺ折り器1104、ファイル用の２つの（または３つ）の穴開けを行うパンチャ1106があり、ジョブの種類に応じてそれぞれの処理を行う。
【００４６】
更に、サドルステッチャ1107は、シートの中央部分を２ヶ所バインドした後に、シートの中央部分をローラにかませることによりシートを半折にし、週刊誌やパンフレットのようなブックレットを作成する処理を行う。サドルステッチャ1107で作成されたシートは、ブックレットトレイ1108に排出される。
【００４７】
そのほか、図には記載されていないが、製本のためのグルー（糊付け）によるバインドや、あるいは、バインド後にバインド側と反対側の端面を揃えるためのカッティングなどを加えることも可能である。
【００４８】
また、インサータ1103はトレイ1110にセットされたシートをプリンタを通さずにトレイ1101、1102、1108のいずれかに送るためのものである。これによってフィニッシャ209に送り込まれるシートとシートの間にインサータ1103にセットされたシートをインサート（中差し）することができる。インサータ1103のトレイ1110にはユーザーによりフェイスアップの状態でセットされるものとし、ピックアップローラ1111により最上部のシートから順に給送する。従って、インサータ1103からのシートはそのままトレイ1101、1102へ排出することによりフェイスダウン状態で排出される。サドルステッチャ1107へ送るときには、一度パンチャ1106側へ送り込んだ後スイッチバックさせて送り込むことによりフェースの向きを合わせる。
【００４９】
［ネットワークユーティリティソフトウェアの説明］
コンピュータ102、103上にて動作するユーユーティリティソフトウェアについて説明する。MFP104、MFP105内のネットワークインターフェース部分（NIP部204+PDL部205）にはMIB（Management  Information  Base）と呼ばれる標準化されたデータベースが構築されており、SNMP（Simple  Network Management  Protocol）というネットワーク管理プロトコルを介してネットワーク上のコンピュータと通信し、MFP104、MFP105をはじめとして、ネットワーク上につながれたスキャナ、プリンタあるいは、FAXなどの管理が可能になっている。
【００５０】
一方、コンピュータ102、103上ではユーティリティと呼ばれるソフトウェアプログラムが動作しており、ネットワークを介して上記SNMPの利用によりMIBを使って必要な情報交換が可能となる。
【００５１】
例えば、MFP104、LBP105の装備情報をとしてフィニッシャ209が接続されているか否かを探知したり、ステータス情報をして現在プリントが出きるか否かを探知したり、あるいは、MFP104、LBP105の名前や設置場所などを記入したり変更したり確認したりといった具合に、MIBを使うことによりユーザーはネットワークに接続されたMFP104、LBP105の情報をコンピュータ102、103上で確認することができる。また、これらの情報はサーバ102とクライアント103を区別してリードライトに制限を持たせることも可能である。
【００５２】
従って、この機能を使うことにより、MFP104、LBP105の装備情報、装置の状態、ネットワークの設定、ジョブの経緯、使用状況の管理、制御などあらゆる情報をユーザーはコンピュータ103、102の前で入手することが可能となる。
【００５３】
［LBP105の構成］
次に、図12を用いてLBP105の構成について説明する。
【００５４】
LBP105は、ネットワークを利用して画像データや装置情報をやり取りするNIC(Network Interface Card：ネットワークインターフェイスカード)部分204、コンピュータ103から送られてきたページ記述言語（PDL）を画像信号に展開するPDL部205を有する。
【００５５】
NIC部、PDL部、PWM部の構成はMFP104と同様である。
【００５６】
図12に、１ドラムタイプカラープリンタ部の概要図を示す。
【００５７】
913は、ポリゴンミラーであり、の半導体レーザ805より発光された１本のレーザ光を受け、ミラー914をへて感光ドラム917を走査して、感光体上に潜像を形成する。感光体上の潜像は反時計回りに回転しながら、961の色現像器や960の黒現像器に到達する。961、960の現像器は感光体上に潜像として帯電された電荷に応じてトナーをのせる（現像させる）働きをする。画像が白黒の時は、960の現像器のみが使用され、カラーの時は、961と960の両方の現像器が使用される。次に、感光体917に生成された画像は、時計回りに回転している中間転写体962に転写される。この中間転写体は、白黒の場合は１回転、カラーの場合は４回転して画像生成を中間転写体上に完了する。
【００５８】
色現像器961は回転することでイエロー現像器961y、マゼンタ現像器961m、シアン現像器961cのいずれかを感光ドラム917に接するように制御される。まず、イエロートナーを現像・転写するときは色現像器が図10に示す位置にまるまで回転し、感光ドラム917にレーザ露光が行われると同期してドラムが時計方向へ回転し、イエロー現像器961yによってドラム上にイエローのトナー画像が形成される。これと同期して転写ドラム962が半時計回りへ回転し、感光ドラムからイエロートナーが転写される。転写ドラムの周囲の長さはA3サイズ画像が長手方向に形成できるものである。A3サイズの画像形成を行う場合は、A3サイズの原稿を読み取って、その画像信号によって、A3サイズ画像1面分のイエロートナー画像が転写ドラム上に形成される。
【００５９】
次にマゼンタートナーを現像・転写するときは色現像器が半時計方向へ120度回転した後、前記と同様に原稿を読み取って、その画像信号によって、ドラム917にレーザ露光が行われると同期してドラムが時計方向へ回転し、マゼンタの現像器961Mによってドラム上にマゼンタのトナー画像が形成される。これと同期して転写ドラムが半時計回りへ回転し、感光ドラムからマゼンタトナーが転写される。
【００６０】
次に同様にシアントナー画像が転写される。次にブラックトナー画像が現像器960によって感光ドラム917に形成され、同様に転写される。
【００６１】
一方で、970の上段カセット、あるいは971の下段カセットから972あるいは973のピックアップローラで給紙された記録紙が、974あるいは975の給紙ローラに従って搬送され、976の搬送ローラで更にレジ前まで搬送されていく。
【００６２】
そして、前述した中間転写体917への画像形成が終了するタイミングで中間転写体と978の転写ベルトの間にくるようなタイミングに制御されている。ここに記録紙が到達したところで、転写ベルトが中間転写体に接して、トナーが記録紙に転写される。記録紙に転写された画像は、979の定着ローラで、熱と加圧により記録紙に定着される。
【００６３】
画像が定着された記録紙は、プリンタコントローラによりあらかじめ指定されていた980で示すフェイスアップ排紙口か981で示すフェイスダウン排紙口のいずれかに搬送され、排紙される。以上で、プリンタコントローラから送られてきた画像情報を出力することができる。
【００６４】
［ホストコンピュータがUSBバスを介して接続された構成］
図13を用いてに、ホストコンピュータがUSBバスを介して接続された構成を示す。
【００６５】
図13に示すようにホストコンピュータ1001と、画像出力デバイスとしてのMFP104とが、通信手段としての後述するUSBバス1000を介して通信可能に接続された構成としている。
【００６６】
ここで、本実施例での通信手段（インターフェース）として規定している”ＵＳＢ”の概要を説明する。
【００６７】
[ＵＳＢの技術の概要]
近年では、家庭用ディジタルVTRやDVDの登場に伴って、ビデオデータやオーディオデータの転送のように、リアルタイムで且つ高情報量のデータ転送のサポートが要求されている。このため、ビデオデータやオーディオデータ等をリアルタイムで転送し、パーソナルコンピュータ（ＰＣ）内に取り込んだり、或いはその他のディジタル機器に転送するには、必要な転送機能を備えた高速なデータ転送が可能なインターフェースが必要になってくる。このような観点から開発されたインターフェースが、ＵＳＢ（Ｕｎｉｖｅｒｓａｌ  Ｓｅｒｉａｌ  Ｂｕｓ）である。
【００６８】
また、ＵＳＢバスは、ＵＳＢバスケーブルを機器に接続した時点で、当該機器が、自動的に自機器の認識や接続状況等を認識するプラグアンドプレイ機能を有する。このプラグアンドプレイ機能により、任意の機器Ｘが削除されたり、或いは新たに追加されたときには、自動的にバスリセットが行なわれることで、それまでのネットワーク構成がリセットされ、新たなネットワークの再構築が行なわれることになる。また、その時々のネットワークの構成が常時設定され認識される。
【００６９】
ＵＳＢバスでのデータ転送速度は、１．５／１２／４８０Ｍｂｐｓであり、上位の転送速度を有する機器が、下位の転送速度を有する機器をサポートすることで、互換をとるようになっている。
【００７０】
図１４は、ＵＳＢバスコネクタのピン配置を示した図である。
【００７１】
1pinはホストから＋５Ｖが供給されるライン(VBus)であり、バス電源デバイスは５００mAまで取ることができる。２，３pinはデータ信号ラインであり、差動信号対である。４pinは、VBus、D+及びD-の接地（ＧＮＤ）である。
【００７２】
図１５は、本実施形態の画像処理装置のUSB省電力制御部のブロック図である。
【００７３】
ＵＳＢソケット1500は、本画像処理装置とホストコンピュータとをＵＳＢを介して接続するソケットである。ＵＳＢソケット1500にＵＳＢコネクタが接続されると、ＵＳＢソケット1500の１pinに+5Vが供給される。ＶＢｕｓ監視部1501はＵＳＢソケット1500の１pinに+5Vが供給されたかどうかを判断し、＋５Ｖが供給された場合には電源制御部1502へＵＳＢコネクタが接続されたことを通知する。電源制御部1502はＵＳＢコネクタが接続されたことを感知すると、ＵＳＢ制御部1503へ電源を供給する。ＵＳＢ制御部1503はホストコンピュータとＵＳＢバスを介して通信を行うモジュールである。
【００７４】
図１６は、本実施形態の画像処理装置の動作を表すフローチャートである。
【００７５】
まずＶＢｕｓ監視部1501において、ＵＳＢソケット1500にＵＳＢコネクタが接続されたかをＵＳＢソケット1500の１pinを監視し、判断する（S1601）。
【００７６】
ＶＢｕｓ監視部1501が、ＵＳＢソケット1500の１pinに＋５Ｖが供給されたことを感知すると、電源制御部1502へＵＳＢが接続されたことを通知する（S1602）。
【００７７】
電源制御部1502はＵＳＢが接続されたことを通知されると、ＵＳＢ制御部1503へ電源を供給する（S1603）。
【００７８】
ＵＳＢ制御部1503は、電源が供給されると、ＵＳＢバスを介しホストコンピュータと通信を開始する（S1604）。
【００７９】
USBに準拠した通信制御バスに接続可能な画像処理装置において、ＵＳＢソケットのVBus信号を監視することにより、ＵＳＢコネクタが接続されたかを判断することが可能となり、USBの制御回路の電源を遮断しつつ、ケーブルが接続されたことを認識した場合には、USBの制御回路の電源を投入し回路を活性化し、データ転送を行うことが可能な省エネルギー機能を有する画像形成装置を提供することできる。
【００８０】
（実施例２）
実施例２として、ホストコンピュータからのデータによりプリンタ部へ電源を供給することが可能な画像形成装置に関して説明する。
【００８１】
図１７は、本実施形態の画像処理装置のUSB省電力制御部のブロック図である。
【００８２】
ＵＳＢソケット1500は、本画像処理装置とホストコンピュータとをＵＳＢを介して接続するソケットである。ＵＳＢソケット1500にＵＳＢコネクタが接続されると、ＵＳＢソケット1500の１pinに+5Vが供給される。ＶＢｕｓ監視部1501はＵＳＢソケット1500の１pinに+5Vが供給されたかどうかを判断し、＋５Ｖが供給された場合には電源制御部1700へＵＳＢコネクタが接続されたことを通知する。電源制御部1700はＵＳＢコネクタが接続されたことを感知すると、ＵＳＢ制御部1701へ電源を供給する。ＵＳＢ制御部1701はホストコンピュータとＵＳＢバスを介して通信を行い、ホストコンピュータから印刷データなどを受信する。ＵＳＢ制御部1701は、ホストコンピュータから印刷データを受け取ると、電源制御部1700へその旨を通知し、電源制御部1700はプリンタ部1702へ電源を供給する。
【００８３】
図１８は、本実施形態の画像処理装置の動作を表すフローチャートである。
【００８４】
まずＶＢｕｓ監視部1501において、ＵＳＢソケット1500にＵＳＢコネクタが接続されたかをＵＳＢソケット1500の１pinを監視し、判断する（S1801）。
【００８５】
ＶＢｕｓ監視部1501が、ＵＳＢソケット1500の１pinに＋５Ｖが供給されたことを感知すると、電源制御部1700へＵＳＢが接続されたことを通知する（S1802）。
【００８６】
電源制御部1700はＵＳＢが接続されたことを通知されると、ＵＳＢ制御部1701へ電源を供給する（S1803）。
【００８７】
ＵＳＢ制御部1701は、電源が供給されると、ＵＳＢバスを介しホストコンピュータと通信を開始する（S1804）。
【００８８】
ホストコンピュータとの通信により、印刷データをＵＳＢ制御部1701が受け取った場合には、電源制御部1700へ印刷ジョブが開始されることを通知する（S1804）。
【００８９】
電源制御部1701は、印刷ジョブが開始されることを通知されると、プリンタ部1703へ電源を供給し、印刷準備を開始する（S1805）。
【００９０】
実施例１によれば、USBに準拠した通信制御バスに接続可能な画像処理装置において、ＵＳＢソケットのVBus信号を監視することにより、ＵＳＢコネクタが接続されたかを判断することが可能となり、USBの制御回路の電源を遮断しつつ、ケーブルが接続されたことを認識した場合には、USBの制御回路の電源を投入し回路を活性化し、データ転送を行うことが可能な省エネルギー機能を有する画像形成装置を提供することできる。
【００９１】
実施例２によれば、ホストコンピュータからのデータを解析し、印刷ジョブであった場合には予めプリンタ部へ電源を供給することにより、省電力を実現しつつ、省電力モードからの復帰時間を短縮することが可能な画像処理装置を提供することできる。
【図面の簡単な説明】
【００９２】
【図１】本発明の実施形態のシステム全体を示す図である。
【図２】画像処理装置全体のブロック図である。
【図３】画像処理装置のスキャナ部を示す図である。
【図４】画像処理装置のIP部のブロック図である。
【図５】画像処理装置のNIC/PDL部のブロック図である。
【図６】画像処理装置のコア部のブロック図である。
【図７】画像処理装置のPWM部のブロック図である。
【図８】4ドラムカラー画像処理装置のプリンタ部を示す図である。
【図９】プリンタ装置のブロック図である。
【図１０】ディスプレイ部のブロック図である。
【図１１】フィニッシャ部を示す図である。
【図１２】１ドラム画像処理装置を示す図である。
【図１３】第一の実施例における画像処理装置のUSB省電力制御部のブロック図である。
【図１４】第一の実施例におけるフローチャートである。
【図１５】第二の実施例における画像処理装置のUSB省電力制御部のブロック図である。
【図１６】第二の実施例におけるフローチャートである。
【図１７】本実施形態の画像処理装置のUSB省電力制御部のブロック図である。
【図１８】本実施形態の画像処理装置の動作を表すフローチャートである。
【図１】
2006043947.tif 000003
【図２】
2006043947.tif 000004
【図３】
2006043947.tif 000005
【図４】
2006043947.tif 000006
【図５】
2006043947.tif 000007
【図６】
2006043947.tif 000008
【図７】
2006043947.tif 000009
【図８】
2006043947.tif 000010
【図９】
2006043947.tif 000011
【図１０】
2006043947.tif 000012
【図１１】
2006043947.tif 000013
【図１２】
2006043947.tif 000014
【図１３】
2006043947.tif 000015
【図１４】
2006043947.tif 000016
【図１５】
2006043947.tif 000017
【図１６】
2006043947.tif 000018
【図１７】
2006043947.tif 000019
【図１８】
2006043947.tif 000020